(57)【要約】【課題】  刈刃保持部の刈刃を作業面に対して平行に保って作業面に沿って平行に刈れるし、また作業面の勾配変化に対しても刈刃の角度を変更できて勾配のある作業面に沿って平行に刈れるし、さらに作業面に対して刈刃を擦るような高さにできてきわ刈り作業ができる車輪付き刈払機を得る。【解決手段】車輪１の軸受部とこれより前後方に分かれて位置する刈刃保持部１２及びハンドル部１７とで構成される刈払機本体が車輪１により走行するものであって、前記刈払機本体と車輪１側とが前記軸受部の位置で互いに左右に傾くようにして、前記刈払機本体，即ち刈刃保持部１２の刈刃１３に対して車輪１側が左右に傾くようにしてなる。【選択図】    図１
2005192454.tif 000002
【特許請求の範囲】
【請求項１】
車輪の軸受部とこれより前後方に分かれて位置する刈刃保持部及びハンドル部とで構成される刈払機本体が前記車輪により走行するものであって、前記刈払機本体と車輪側とが前記軸受部の位置で互いに左右に傾くようにして、前記刈払機本体，即ち前記刈刃保持部の刈刃に対して車輪側が左右に傾くようにしたことを特徴とする車輪付き刈払機。
【請求項２】
刈払機本体を軸受部の位置を回転中心として前後で左右に振れるようにして、刈刃保持部の刈刃を車輪幅よりも外側に出して固定できるようにしたことを特徴とする請求項１記載の車輪付き刈払機。
【発明の詳細な説明】
【技術分野】
【０００１】
本発明は、小型エンジンを搭載する肩掛式刈払機，背負式刈払機と異なり、中型エンジンを搭載して車輪により走行する形式の車輪付き刈払機に関するものである。
【背景技術】
【０００２】
従来のこの種の車輪付き刈払機は、車輪の軸受部とこれより前後方に分かれて位置する刈刃保持部及びハンドル部とで構成される刈払機本体が前記車輪により走行するようになっている。
【発明の開示】
【発明が解決しようとする課題】
【０００３】
解決しようとする問題は、従来のものでは車輪が刈払機本体に固定式に取り付けられているので、刈刃保持部の刈刃は車輪の前後進に合わせて平行移動する。そのために作業面（走行面）の凹凸に合わせて刈刃が振られる（左右に傾く）ために作業面に沿って平行に刈れないし、また作業面の勾配変化に対して刈刃の角度を変更できないために勾配のある作業面に沿って平行に刈れないし、さらに作業面に対して刈刃を擦るような高さにできないためにきわ刈り作業ができないという点である。
【課題を解決するための手段】
【０００４】
請求項１の発明は、刈払機本体と車輪側とが軸受部の位置で互いに左右に傾くようにして、刈払機本体，即ち刈刃保持部の刈刃に対して車輪側が左右に傾くようにしたことを特徴とする。
【０００５】
請求項２の発明は、ハンドル部を操作して刈払機本体を軸受部の位置を回転中心として左右に振ることにより、刈刃保持部の刈刃を車輪幅よりも外側に出して固定できるようにしたことを特徴とする。
【発明の効果】
【０００６】
請求項１の発明は、刈払機本体のハンドル部を真っ直ぐに保っていると作業面の凹凸に対して車輪側が左右に傾くので、刈刃保持部の刈刃を作業面に平行に保つことができて作業面に沿って平行に刈れるし、また作業面の勾配変化に対しても刈刃の角度を変更できて勾配のある作業面に沿って平行に刈れるし、さらに作業面に対して刈刃を擦るような高さにできてきわ刈り作業ができるという効果がある。
【０００７】
請求項２の発明は、刈刃保持部の刈刃を車輪幅よりも外側に出して固定することにより、塀ぎわであっても直進状態で作業ができるという効果がある。
【発明を実施するための最良の形態】
【０００８】
刈払機本体と車輪側とが軸受部の位置で互いに左右に傾くようにして、刈払機本体，即ち刈刃保持部の刈刃に対して車輪側が左右に傾くように構成することにより、実現した。
【実施例１】
【０００９】
図１は本発明の一実施例を示す平面図、図２は図１を横からみた側面図、図３は図１の軸受部付近を示す図、図４は図２の軸受部付近を示す図、図５は図４を左からみた正面図、図６は図２を左からみて請求項１の動作を説明する正面図、図７は図１において請求項２の動作を説明する正面図である。
【００１０】
図において、１は車輪、２は車輪１の各車軸３を支持する軸受シャーシ、４は軸受シャーシ２に左右首振り用縦軸５により左右に回転可能に取り付けたシャーシ半体Ａ、６は軸受シャーシ２に取り付けた左右首振り用固定板、７は左右首振り用固定板６に設けた左右首振り用長穴、８はシャーシ半体Ａ４に取り付けられて左右首振り用長穴７内に嵌りかつ左右首振り用固定板６を止める左右首振り用固定ノブ、９はシャーシ半体Ａ４にスイング軸１０により左右にスイング可能に取り付けたシャーシ半体Ｂ、１１はシャーシ半体Ｂ９が取り付けられる駆動パイプ、１２は駆動パイプ１１の先端に取り付けた刈刃保持部、１３は安全カバー１４によりカバーした刈刃、１５は駆動パイプ１１の基端に取り付けたエンジン、１６はシャーシ半体Ｂ９に取り付けたハンドルパイプで、ハンドル部１７を有している。
【００１１】
図１〜図５に示す状態では、スイング軸１０を回転中心として２個のシャーシ半体Ａ４，Ｂ９が互いに回転（スイング）できるので、シャーシ半体Ａ４の車輪１側を固定（変動しない）としてハンドル部１７を左右に傾けると、シャーシ半体Ｂ９がスイング軸１０を回転中心に回転（スイング）して刈刃保持部１２の刈刃１３が左右に傾く。
【００１２】
即ち、走行中において、ハンドル部１７を真っ直ぐ（平行）に保っていると、図６に示すように走行面（作業面）の凹み１８に片方の車輪１が落ちても、シャーシ半体Ａ４がスイング軸１０を回転中心に回転（スイング）するので、シャーシ半体Ｂ９側の刈刃保持部１２の刈刃１３が傾くことなく作業面に平行に保ち、作業面に沿って平行に刈れる。
【００１３】
また、このようにハンドル部１７の操作により刈刃保持部１２の刈刃１３を左右に自在に傾けられるので、作業面の勾配変化に対しても刈刃１３の傾き角度を合わせて勾配のある作業面に沿って平行に刈れるし、さらに作業面に対して刈刃１３を擦るような高さに自在に変更できるのできわ刈り作業も可能となる。
【００１４】
次に、図１〜図５に示す状態では、左右首振り用縦軸５を回転中心として軸受シャーシ２に対して（左右首振り用固定板６に対しても）シャーシ半体Ａ４側（シャーシ半体Ｂ９側も）が左右に回転できるので、例えば図７に示すようにハンドル部１７を左に回転させた位置で左右首振り用固定ノブ８を締め付けると、左右首振り用長穴７を利用して左右首振り用固定板６がシャーシ半体Ａ４に固定されて図示のように刈刃１３が車輪１幅よりも外側に出た状態となる。この状態で直進してゆけば、車輪１幅から外側に出た刈刃１３により塀ぎわ刈りができる。
【００１５】
なお、この実施例では、軸受シャーシ２を２個のシャーシ半体Ａ４，Ｂ９で連繋する軸受部を示すと共に、この軸受部と刈刃保持部１２とハンドル部１７とで刈払機本体を構成している。
【実施例２】
【００１６】
本実施例では軸受部の異なる実施例を図８〜図１０を用いて説明する。図８は図３に相当する図、図９は図４に相当する図、図１０は図５に相当する図であり、図中前記した実施例１のものと同一または相当部分には同一符号を付して説明を省略する。
【００１７】
図において、１９は駆動パイプ１１が回転可能に貫挿されるシャーシで、左右首振り用縦軸５により軸受シャーシ２に対して左右に回転できるようになっている。なお、ハンドルパイプ１６は駆動パイプ１１に取り付けられている。
【００１８】
図８〜図１０に示す状態では、ハンドル部１７を左右に傾けると駆動パイプ１１がシャーシ１９内で回転するので、そのまま刈刃保持部１２の刈刃１３が左右に傾くし、また左右首振り用縦軸５を回転中心として軸受シャーシ２に対して（左右首振り用固定板６に対しても）シャーシ１９側（駆動パイプ１１側も）が左右に回転する。
【産業上の利用可能性】
【００１９】
本発明は、車輪付き刈払機全般にわたって広く活用できる。
【図面の簡単な説明】
【００２０】
【図１】本発明の実施例１を示す平面図である。
【図２】図１を横からみた側面図である。
【図３】図１の軸受部付近を示す図である。
【図４】図２の軸受部付近を示す図である。
【図５】図４を左からみた正面図である。
【図６】図２を左からみて請求項１の動作を説明する正面図である。
【図７】図１において請求項２の動作を説明する正面図である。
【図８】本発明の実施例２を示すもので図３に相当する図である。
【図９】図８を横からみた側面図である。
【図１０】図９を左からみた正面図である。
【符号の説明】
【００２１】
１：車輪
２：軸受シャーシ
３：車軸
４：シャーシ半体Ａ
５：左右首振り用縦軸
６：左右首振り用固定板
７：左右首振り用長穴
８：左右首振り用固定ノブ
９：シャーシ半体Ｂ
１０：スイング軸
１１：駆動パイプ
１２：刈刃保持部
１３：刈刃
１５：エンジン
１６：ハンドルパイプ
１７：ハンドル部
１８：凹み
１９：シャーシ
【図１】
2005192454.tif 000003
【図２】
2005192454.tif 000004
【図３】
2005192454.tif 000005
【図４】
2005192454.tif 000006
【図５】
2005192454.tif 000007
【図６】
2005192454.tif 000008
【図７】
2005192454.tif 000009
【図８】
2005192454.tif 000010
【図９】
2005192454.tif 000011
【図１０】
2005192454.tif 000012